(57)【要約】【課題】接着処理工程で楕円状となった心線１を、心線１のしごき工程の中で真円に改善し、心線１を金型に巻く場合に心線乗り上げが無く、正常に巻くことができるベルトの製造方法を提供する。【解決手段】撚りコードからなるベルト用心線１の接着処理方法において、接着処理後心線１をほぐす為に少なくとも一つの断面Ｖ溝形状の屈曲プーリ３のＶ形状溝５に心線１を通すベルトの製造方法。【選択図】図１
2006307406.tif 000002
【特許請求の範囲】
【請求項１】
撚りコードからなるベルト用心線の接着処理方法において、接着処理後心線をほぐす為に少なくとも一つの断面Ｖ溝形状のプーリのＶ溝に心線を通すことを特徴とするベルトの製造方法。
【請求項２】
撚りコードからなるベルト用心線の接着処理方法において、接着処理後心線をほぐす為に複数のプーリに心線を当接させ懸架するときに、前記複数のプーリのうち、略半数のプーリと他の残り略半数のプーリを直径方向で略直角になるように配置し、心線の進行方向を略直角に向きを変えることを特徴とするベルトの製造方法。
【請求項３】
前記プーリの心線を通す溝をＶ溝形状とした請求項２に記載のベルトの製造方法。
【発明の詳細な説明】
【技術分野】
【０００１】
本発明は、ベルト中に埋設する撚りコードからなる心線の接着処理に係わり、詳しくは接着処理のローラー通しにより断面形状が楕円形に変形しない心線の接着処理方法に関する。
【背景技術】
【０００２】
ベルトは、多くの場合ゴム等のエラストマー材料からなるベルト本体とそれを補強する繊維からなり、ベルトの長手方向にスパイラル状に埋設する心線もそのひとつである。心線はフィラメントを束ねたものや更にそれに撚りをかけたものを用いている。
【０００３】
心線とベルト本体とは強固に接着されている必要があり、繊維ともゴムとも接着することのできるＲＦＬ（レゾルシン・ホルマリン・ラテックス）などの接着剤を間に介在することによって接着している。心線に接着剤をつける接着処理は、接着処理がなされていない未処理の心線を接着処理液の浴槽中に配置した２つのロール間に心線を渡すように巻き付けて処理液中を通過させるなどの手段が採られていた。
【０００４】
又、この心線の接着処理には心線とベルト本体のエラストマーを接着する目的以外にも撚りコードからなる心線のホツレを防止するという目的もあり、接着剤が十分に付着することによって心線のホツレを防止することができる。特にアラミド繊維のようなホツレの発生し易い種類の心線ではこの効果も重要である。
【０００５】
このために、接着処理液の浴槽部中で心線を直径５〜５０ｍｍφの丸棒に６０〜２４０度の角度で巻き付けて接着処理液を通過させ浸漬していた。（特許文献１）
【０００６】
【特許文献１】特開２０００‐８８０６２号公報
【０００７】
しかし、ラップドベルト、平ベルト等に用いられる直径が１〜２．５ｍｍの接着処理済アラミド、ポリエチレン心線は、接着処理工程のローラー通しにより断面形状が楕円状に変形し硬化していた。
【０００８】
この変形が極端な場合、心線を金型に巻くときに心線が一定の位置に巻けず、次に巻いた心線が前に巻いた心線上に乗り上げる等の不具合が発生し、その為心線を金型に巻き付ける前に予め、心線しごき工程を設け、心線の断面形状を真円に近づけていた。
【発明の開示】
【発明が解決しようとする課題】
【０００９】
前記心線しごき工程においては、心線を通してしごきを行う屈曲プーリの断面溝形状は、図５のように半円形状であった。そして、図２のような屈曲プーリの配置で心線のしごきを実施し、心線の断面形状を楕円から真円に改善しようと改良していた。
【００１０】
しかしながら、図４のような半円形状の溝２３を有する屈曲プーリ２１では、心線１を屈曲させた場合、楕円状の心線１の短手方向２５のみ屈曲プーリに接し、長手方向２７には屈曲せず、ほぐし効果が小さく、心線１の断面形状を真円にすることはできなかった。
【００１１】
本発明は、上記の点に鑑みてなされたものであり、接着処理工程で楕円形状となった心線を、心線のしごき工程の中で真円に改善し、心線を金型に巻く場合に心線乗り上げが無く、正常に巻くことができるベルト用心線の接着処理方法を提供することを目的とするものである。
【課題を解決するための手段】
【００１２】
本発明は、撚りコードからなるベルト用心線の接着処理方法において、接着処理後心線をほぐす為に少なくとも一つの断面Ｖ溝形状のプーリのＶ溝に心線を通すベルトの製造方法にある。
【００１３】
請求項２に記載の発明は、撚りコードからなるベルト用心線の接着処理方法において、接着処理後心線をほぐす為に複数のプーリに心線を当接させ懸架するときに、前記複数のプーリのうち、略半数のプーリと他の残り略半数のプーリを直径方向で略直角になるように配置し、心線の進行方向を略直角に向きを変えるベルトの製造方法にある。
【００１４】
請求項３に記載の発明は、前記プーリの心線を通す溝をＶ溝形状とした請求項２に記載のベルトの製造方法にある。
【発明の効果】
【００１５】
本発明によると、撚りコードからなるベルト用心線の接着処理方法において、接着処理後心線をほぐす為に少なくとも一つの断面Ｖ溝形状のプーリのＶ溝に心線を通すベルトの製造方法にあることから、心線の楕円の長手方向を強制的に屈曲させ心線断面形状を真円に近づけることができる。
【００１６】
請求項２に記載の発明によると、撚りコードからなるベルト用心線の接着処理方法において、接着処理後心線をほぐす為に複数のプーリに心線を当接させ懸架するときに、前記複数のプーリのうち、略半数のプーリと他の残り略半数のプーリを直径方向で略直角になるように配置し、心線の進行方向を略直角に向きを変えるベルトの製造方法であることから、少なくともどちらか一方の進行方向を有するプーリにおいて、心線の楕円形状の長手方向がプーリの外径方向に向き、前記楕円状の長手方向に力が加わることによって、心線を真円に近づけることができる効果がある。
【００１７】
請求項３に記載の発明によると、前記プーリの心線を通す溝をＶ溝形状とした請求項２に記載のベルトの製造方法であることから、より確実に心線の楕円形状の長手方向がプーリの外径方向に向き、前記楕円形状の長手方向に力が加わることによって、心線を真円に近づけることができる効果がある。
【発明を実施するための最良の形態】
【００１８】
以下、本発明を実施するための最良の形態をアラミド繊維からなるコードを用いた場合を例に挙げて説明する。アラミド繊維からなるフィラメントを束ねて下撚りをかけ、続いて上撚りをかけて未処理の心線とする。
【００１９】
そして水系の処理液である第１処理液に浸漬して乾燥させ、続いて第２処理液であるＲＦＬ液に浸漬するが、その第２処理液に浸漬する場合の浸漬装置１は図４に示すようなものであり、処理液Ｓを溜める浴槽部６と浴槽部６の一方の端に取り付けられた回転自在の導入側ガイドローラ２２と他方の端に取り付けられた回転自在の排出側ガイドローラ１７  と、この両方のガイドローラ２２、１７の間にはガイドローラ２０、小径の丸棒１９、ガイドローラ１８が段違いに配置されている。
【００２０】
このうち、両端の２本のガイドローラ１８、２０に比べて中央の一本の丸棒１９は浴槽部６内の下方に位置しており、浴槽部６内に溜められた接着処理液Ｓに全体が漬かるような配置としている。又、少なくとも中央の丸棒１９は回転しないよう固定されている。
【００２１】
前記に説明したような処理装置２４に接着処理をされていない未処理の心線１を通すことによって、未処理の心線１を接着処理液Ｓに浸漬し、接着処理した処理心線１を得ることになるが、まず未処理の心線１を浴槽部６内のガイドローラ２２に巻き付けた後、ガイドローラ２０の上を通し、続いて丸棒１９の下、ガイドローラ１８の上を通して最後にガイドローラ１７に巻き付けて浴槽部６から引き出す。
【００２２】
次に、屈曲プーリの間に接着処理後の心線を通して心線をしごくことによって心線の断面形状を楕円形から真円に修正する。図１は本発明の方法で用いる屈曲プーリの断面図である。屈曲プーリの心線を通す溝５はＶ形状をしており、Ｖ形状溝５に心線の長手方向がプーリの外径方向と一致するように屈曲させると、心線１の長手方向に力が掛かり、心線１が楕円形状から真円に近づく。
【００２３】
さらに、前記屈曲プーリの配置としては、図２又は図３の配置があるが、図３の配置とすると、屈曲プーリ１１と屈曲プーリ１２との間でＶ形状溝５の向きが直交して変わり、万一屈曲プーリ１１から屈曲プーリ１２までにおいて、心線１の楕円状の断面形状の短手方向２がプーリの外径方向と一致していたとしても、屈曲プーリ１２からは、Ｖ形状溝５が９０度向きが変わるので、前記楕円形状の長手方向４がプーリの外径方向と合致するようになる。屈曲プーリの配置は、図２や図３に限らず、例えば少なくとも一つのプーリのみ他のプーリと直交した配列や、少なくとも一つのプーリが他のプーリと４５度の角度の位置に傾けて配置されていても良い。
【００２４】
本発明で用いる心線１の素材としてはアラミド繊維、ポリエチレンテレフタレートなどのポリエステル繊維、ポリパラフェニレンベンゾビスオキサゾール繊維などの高強度で低伸どのコードよりなる心線が挙げられる。アラミド繊維を用いた場合は、他の繊維を用いた場合よりも耐屈曲性が悪いので、直径５０〜１００ｍｍの屈曲プーリを使用するのが好ましい。
【図面の簡単な説明】
【００２５】
【図１】本発明に用いる屈曲プーリの概略断面図である。
【図２】本発明に用いる屈曲プーリの配置図である。
【図３】本発明に用いる屈曲プーリの配置図である。
【図４】本発明に係るベルト用心線の接着処理方法を実施しているところの概要図である。
【図５】従来の屈曲プーリの概略断面図である。
【符号の説明】
【００２６】
１        心線
２        短手方向
３        屈曲プーリ
４        長手方向
５        Ｖ形状溝
６        浴槽部
７〜１６  屈曲プーリ
１７      ガイドローラ
１８      ガイドローラ
１９      丸棒
２０      ガイドローラ
２２      ガイドローラ
２４      処理装置
【図１】
2006307406.tif 000003
【図２】
2006307406.tif 000004
【図３】
2006307406.tif 000005
【図４】
2006307406.tif 000006
【図５】
2006307406.tif 000007